(57)【特許請求の範囲】
【請求項１】
ソーシャル・ネットワーキング・サービスを利用して投稿された投稿画像をＳＮＳサーバから取得する投稿画像取得手段と、
前記投稿画像取得手段によって取得された前記投稿画像を記憶媒体に記録する投稿画像記録手段と、
前記投稿画像記録手段によって記録された前記投稿画像に対して、前記投稿画像の投稿者から被写体に関する情報が掲載されたＷＥＢページへのリンク情報の入力を受け付けることにより、前記投稿画像に対する前記リンク情報の指定を受け付けるリンク情報指定受付手段と、
前記リンク情報指定受付手段によって前記リンク情報の指定を受け付けた前記投稿画像と、指定された前記リンク情報とを関連付けたリンク関連付け情報を前記記憶媒体に記録するリンク関連付け情報記録手段とを備えることを特徴とする画像記録装置。
【請求項２】
請求項１に記載の画像記録装置において、
前記リンク情報指定受付手段は、前記投稿画像に含まれる複数の被写体のそれぞれに対して前記リンク情報の指定を受け付け、
前記リンク関連付け情報記録手段は、前記投稿画像に含まれるそれぞれの被写体ごとに、前記リンク情報を関連付けた前記リンク関連付け情報を記録することを特徴とする画像記録装置。
【請求項３】
請求項１または２に記載の画像記録装置において、
前記投稿画像取得手段は、前記ソーシャル・ネットワーキング・サービスを利用して投稿された前記投稿画像を取得するためのアプリケーションプログラミングインターフェースを用いて前記投稿画像を取得することを特徴とする画像記録装置。
【請求項４】
画像を記録する画像記録装置と、前記画像記録装置に記録されている画像を閲覧するユーザが所持するユーザ端末とを通信回線を介して接続した情報提供システムであって、
前記画像記録装置は、
ソーシャル・ネットワーキング・サービスを利用して投稿された投稿画像をＳＮＳサーバから取得する投稿画像取得手段と、
前記投稿画像取得手段によって取得された前記投稿画像を記憶媒体に記録する投稿画像記録手段と、
投稿画像記録手段によって記録された前記投稿画像に対して、前記投稿画像の投稿者から被写体に関する情報が掲載されたＷＥＢページへのリンク情報の入力を受け付けることにより、前記投稿画像に対する前記リンク情報の指定を受け付けるリンク情報指定受付手段と、
前記リンク情報指定受付手段によって前記リンク情報の指定を受け付けた前記投稿画像と、指定された前記リンク情報とを関連付けたリンク関連付け情報を前記記憶媒体に記録するリンク関連付け情報記録手段とを備え、
前記ユーザ端末は、
前記画像記録装置から前記投稿画像を受信する投稿画像受信手段と、
前記投稿画像受信手段によって受信された前記投稿画像を表示装置に一覧表示する投稿画像表示手段とを備えることを特徴とする情報提供システム。
【請求項５】
請求項４に記載の情報提供システムにおいて、
前記投稿画像記録手段は、前記投稿画像と前記投稿画像の投稿者を特定するための情報とを関連付けて記録し、
前記投稿画像受信手段は、ユーザによって投稿者が指定された場合には、指定された投稿者を特定するための情報に関連付けられている前記投稿画像を抽出して、前記画像記録装置から受信することを特徴とする情報提供システム。
【請求項６】
請求項４または５に記載の情報提供システムにおいて、
前記ユーザ端末は、
ユーザから、前記投稿画像表示手段によって表示された前記投稿画像のうち、リンク情報が関連付けられている投稿画像のみを表示するように指示された場合には、前記記憶媒体に前記リンク関連付け情報が記録されている前記投稿画像のみを、前記表示装置に一覧表示する表示画像切替手段をさらに備えることを特徴とする情報提供システム。
【請求項７】
請求項４〜６のいずれか一項に記載の情報提供システムにおいて、
前記ユーザ端末は、
前記表示装置に表示された前記投稿画像の一覧の中から、いずれか一つの前記投稿画像が選択された場合には、前記リンク関連付け情報を参照して、選択された前記投稿画像に関連付けられている前記リンク情報を特定するリンク情報特定手段と、
前記リンク情報特定手段によって特定された前記リンク情報に基づいて、選択された前記投稿画像の被写体に関する情報が掲載されたＷＥＢページへアクセスし、前記表示装置に前記ＷＥＢページを表示するＷＥＢページ表示手段とをさらに備えることを特徴とする情報提供システム。
【請求項８】
請求項４〜７に記載の情報提供システムにおいて、
前記リンク情報指定受付手段は、前記投稿画像に含まれる複数の被写体のそれぞれに対して前記リンク情報の指定を受け付け、
前記リンク関連付け情報記録手段は、前記投稿画像に含まれるそれぞれの被写体ごとに、前記リンク情報を関連付けた前記リンク関連付け情報を記録することを特徴とする情報提供システム。
【請求項９】
請求項４〜８のいずれか一項に記載の情報提供システムにおいて、
前記投稿画像取得手段は、前記ソーシャル・ネットワーキング・サービスを利用して投稿された前記投稿画像を取得するためのアプリケーションプログラミングインターフェースを用いて前記投稿画像を取得することを特徴とする情報提供システム。
【発明の詳細な説明】
【技術分野】
【０００１】
本発明は、画像記録装置、および情報提供システムに関する。
【背景技術】
【０００２】
次のような情報処理システムが知られている。この情報処理システムでは、ユーザの店舗への来店履歴をＳＮＳを通じて自動投稿することにより、店舗は、積極的な宣伝広告を行わなくても、宣伝広告効果を得ることができる（例えば、特許文献１）。
【先行技術文献】
【特許文献】
【０００３】
【特許文献１】特開２０１３−８１４４号公報
【発明の概要】
【発明が解決しようとする課題】
【０００４】
従来の情報処理システムのように、ＳＮＳを活用した宣伝広告は広く行われている。例えば、商品を扱う店舗では、店舗で販売する商品の画像をＳＮＳに投稿することにより、ＳＮＳを利用するユーザに対して、商品の宣伝を行うことがある。このときに、ＳＮＳに画像を投稿するとともに、その画像に対して商品の販売サイトへのリンクを設定しておけば、そのリンクをたどって商品の販売サイトを訪れた消費者に商品の購入を促すことができる。しかしながら、店舗が商品の画像を投稿する場合に、すべての画像に対して販売サイトへのリンクを設定することは困難なため、ＳＮＳに投稿された画像には、販売サイトへのリンクが設定された画像とそうでない画像とが混在してしまうことになる。このような状況を鑑みると、店舗がＳＮＳに投稿した画像を取り込んで、各画像に事後的に販売サイトへのリンクを設定できる仕組みが望まれるが、従来は、そのような仕組みについては、何ら検討されていなかった。
【課題を解決するための手段】
【０００５】
本発明による画像記録装置は、ソーシャル・ネットワーキング・サービスを利用して投稿された投稿画像をＳＮＳサーバから取得する投稿画像取得手段と、投稿画像取得手段によって取得された投稿画像を記憶媒体に記録する投稿画像記録手段と、投稿画像記録手段によって記録された投稿画像に対して、投稿画像の投稿者から被写体に関する情報が掲載されたＷＥＢページへのリンク情報の入力を受け付けることにより、投稿画像に対するリンク情報の指定を受け付けるリンク情報指定受付手段と、リンク情報指定受付手段によってリンク情報の指定を受け付けた投稿画像と、指定されたリンク情報とを関連付けたリンク関連付け情報を記憶媒体に記録するリンク関連付け情報記録手段とを備えることを特徴とする。
本発明による情報提供システムは、画像を記録する画像記録装置と、画像記録装置に記録されている画像を閲覧するユーザが所持するユーザ端末とを通信回線を介して接続した情報提供システムであって、画像記録装置は、ソーシャル・ネットワーキング・サービスを利用して投稿された投稿画像をＳＮＳサーバから取得する投稿画像取得手段と、投稿画像取得手段によって取得された投稿画像を記憶媒体に記録する投稿画像記録手段と、投稿画像記録手段によって記録された投稿画像に対して、投稿画像の投稿者から被写体に関する情報が掲載されたＷＥＢページへのリンク情報の入力を受け付けることにより、投稿画像に対するリンク情報の指定を受け付けるリンク情報指定受付手段と、リンク情報指定受付手段によってリンク情報の指定を受け付けた投稿画像と、指定されたリンク情報とを関連付けたリンク関連付け情報を記憶媒体に記録するリンク関連付け情報記録手段とを備え、ユーザ端末は、画像記録装置から投稿画像を受信する投稿画像受信手段と、投稿画像受信手段によって受信された投稿画像を表示装置に一覧表示する投稿画像表示手段とを備えることを特徴とする。
【発明の効果】
【０００６】
本発明によれば、ＳＮＳ（ソーシャル・ネットワーキング・サービス）を利用して投稿された画像を取得して、投稿画像に対して、被写体に関する情報が掲載されたＷＥＢページへのリンク情報を関連付けて記録する装置、およびシステムを提供することができる。
【図面の簡単な説明】
【０００７】
【図１】情報提供システム１０の一実施の形態の構成を示すブロック図である。
【図２】画像記録装置１００の一実施の形態の構成を示すブロック図である。
【図３】ユーザ端末２００の一実施の形態の構成を示すブロック図である。
【図４】画像管理者端末３００の一実施の形態の構成を示すブロック図である。
【図５】画像記録装置１００で実行される投稿画像取得処理の流れを示すフローチャート図である。
【図６】画像記録装置１００で実行されるリンク情報関連付処理の流れを示すフローチャート図である。
【図７】ユーザ端末２００で実行される画像閲覧処理の流れを示すフローチャート図である。
【図８】画像管理者端末３００で実行される画像管理処理の流れを示すフローチャート図である。
【発明を実施するための形態】
【０００８】
図１は、本実施の形態における情報提供システム１０の一実施の形態の構成を示すブロック図である。情報提供システム１０は、画像記録装置１００と、ユーザ端末２００と、画像管理者端末３００で構成される。本実施の形態では、画像記録装置１００とユーザ端末２００、および画像記録装置１００と画像管理者端末３００は、例えばインターネットや携帯電話網等の通信回線を介してそれぞれ接続される。なお、図１では、情報提供システム１０は、画像記録装置１００、ユーザ端末２００、画像管理者端末３００とがそれぞれ１台ずつで構成される例を示しているが情報提供システム１０の構成はこれに限定されない。
【０００９】
図２は、本実施の形態における画像記録装置１００としてサーバ装置を用いた場合の一実施の形態の構成を示すブロック図である。画像記録装置１００は、操作部材１０１と、接続インターフェース１０２と、制御装置１０３と、記憶媒体１０４とを備えている。
【００１０】
操作部材１０１は、画像記録装置１００の操作者によって操作される種々の装置、例えばキーボードやマウスを含む。
【００１１】
接続インターフェース１０２は、画像記録装置１００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、画像記録装置１００は、この接続インターフェース１０２を介して外部のサーバやユーザ端末２００、画像管理者端末３００と通信する。
【００１２】
制御装置１０３は、ＣＰＵ、メモリ、およびその他の周辺回路によって構成され、画像記録装置１００の全体を制御する。なお、制御装置１０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース１０２を介して読み込まれたデータは、バッファメモリに一時的に記録される。
【００１３】
記憶媒体１０４は、画像記録装置１００が蓄える種々のデータや、制御装置１０３が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体１０４に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体１０４にインストールすることによって、制御装置１０３がプログラムを実行できるようになる。
【００１４】
ユーザ端末２００は、情報提供システム１０を利用するユーザが所有する端末である。ユーザ端末２００としては、例えばスマートフォン、タブレット端末、パソコン等の情報端末が用いられる。
【００１５】
図３は、本実施の形態におけるユーザ端末２００としてスマートフォンを用いた場合の一実施の形態の構成を示すブロック図である。本実施の形態では、スマートフォンに画像記録装置１００と通信を行って、以下に説明する処理を実行するためのユーザ端末用ソフトウェアがインストールされることにより、本実施の形態におけるユーザ端末２００として動作する。なお、ユーザ端末用ソフトウェアのプログラムは、インターネットを介して接続されたサーバ上で公開されることにより提供され、ユーザがこれをダウンロードにより入手し、ユーザ端末２００にあらかじめインストールされているものとする。あるいは、ユーザ端末用ソフトウェアのプログラムは、ＣＤ−ＲＯＭやＤＶＤ−ＲＯＭ等の記録媒体に記録されて提供されるようにしてもよい。
【００１６】
ユーザ端末２００は、タッチパネル２０１と、通信モジュール２０２と、制御装置２０３とを備えている。
【００１７】
タッチパネル２０１は、液晶パネル等の表示装置とタッチパッドのような位置入力装置を組み合わせた電子部品であり、画面上の表示を押すことで機器を操作することができる入力装置である。例えば、ユーザ端末２００のユーザは、液晶パネル上に表示されたボタンやメニュー等の表示項目を指やタッチペンを用いてタッチまたはスライドさせることにより、ユーザ端末２００を操作することができる。タッチパネル２０１は、ユーザによるタッチやスライドといった操作を検出して、その検出信号を制御装置２０３へ出力する。
【００１８】
通信モジュール２０２は、無線または有線により、ＬＡＮや携帯電話通信網を介してインターネットに接続するためのモジュールが用いられる。ユーザ端末２００は、この通信モジュール２０２を介して画像記録装置１００と通信を行う。
【００１９】
制御装置２０３は、ＣＰＵ、メモリ、およびその他の周辺回路によって構成され、ユーザ端末２００の全体を制御する。なお、制御装置２０３を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、ユーザ端末２００を動作させるためのファームウェアや種々のアプリケーションを動作させるためのソフトウェアのプログラムデータが記録される。本実施の形態では、この不揮発性のメモリに、上述したユーザ端末用ソフトウェアのプログラムが記録されている。
【００２０】
画像管理者端末３００は、後述するように、ソーシャル・ネットワーキング・サービス（以下、「ＳＮＳ」と呼ぶ）に投稿された画像を、情報提供システム１０を介して、ユーザ端末２００を所持するユーザに向けて公開するために管理する画像管理者が所持する端末である。本実施の形態では、ＳＮＳに画像を投稿した投稿者が、自身が投稿した投稿画像を管理することを想定し、画像管理者は投稿者自身となる。画像管理者端末３００としては、例えばスマートフォン、タブレット端末、パソコン等の情報端末が用いられる。
【００２１】
図４は、本実施の形態における画像管理者端末３００としてスマートフォンを用いた場合の一実施の形態の構成を示すブロック図である。本実施の形態では、スマートフォンに画像記録装置１００と通信を行って、以下に説明する処理を実行するための画像管理ソフトウェアがインストールされることにより、本実施の形態における画像管理者端末３００として動作する。なお、画像管理ソフトウェアのプログラムは、インターネットを介して接続されたサーバ上で公開されることにより提供され、画像管理者である投稿者がこれをダウンロードにより入手し、画像管理者端末３００にあらかじめインストールされているものとする。あるいは、画像管理ソフトウェアのプログラムは、ＣＤ−ＲＯＭやＤＶＤ−ＲＯＭ等の記録媒体に記録されて提供されるようにしてもよい。
【００２２】
画像管理者端末３００は、タッチパネル３０１と、通信モジュール３０２と、制御装置３０３とを備えている。
【００２３】
タッチパネル３０１は、液晶パネル等の表示装置とタッチパッドのような位置入力装置を組み合わせた電子部品であり、画面上の表示を押すことで機器を操作することができる入力装置である。例えば、画像管理者端末３００を操作する投稿者は、液晶パネル上に表示されたボタンやメニュー等の表示項目を指やタッチペンを用いてタッチまたはスライドさせることにより、画像管理者端末３００を操作することができる。タッチパネル３０１は、投稿者によるタッチやスライドといった操作を検出して、その検出信号を制御装置３０３へ出力する。
【００２４】
通信モジュール３０２は、無線または有線により、ＬＡＮや携帯電話通信網を介してインターネットに接続するためのモジュールが用いられる。画像管理者端末３００は、この通信モジュール３０２を介して画像記録装置１００と通信を行う。
【００２５】
制御装置３０３は、ＣＰＵ、メモリ、およびその他の周辺回路によって構成され、画像管理者端末３００の全体を制御する。なお、制御装置３０３を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、画像管理者端末３００を動作させるためのファームウェアや種々のアプリケーションを動作させるためのソフトウェアのプログラムデータが記録される。本実施の形態では、この不揮発性のメモリに、上述した画像管理ソフトウェアのプログラムが記録されている。
【００２６】
本実施の形態における情報提供システム１０では、画像記録装置１００の制御装置１０３は、インターネットを介して、ソーシャル・ネットワーキング・サービス（以下、「ＳＮＳ」と呼ぶ）を利用して投稿された画像を取得して記憶媒体１０４に記録する。
【００２７】
ＳＮＳにおいては、サービスを利用するために会員登録を行った会員ユーザは、ＳＮＳを提供するＷＥＢサイトへアクセスしたり、ＳＮＳを利用するためのソフトウェアを起動することにより、ＳＮＳを利用することができる。ＳＮＳの会員ユーザは、ＳＮＳ上でメッセージや画像を投稿したり、他の会員ユーザが投稿したメッセージや画像を閲覧することができる。
【００２８】
例えば、商品を販売する企業や店舗の経営者や従業者は、自社または自店舗が取り扱う商品に関する画像をＳＮＳに投稿して、一般消費者を含む他の会員ユーザに、商品の宣伝広告を行う場合がある。また、サービスを提供する企業や店舗の経営者や従業者は、自社または自店舗が提供するサービスに関する画像をＳＮＳに投稿して、一般消費者を含む他の会員ユーザに、サービスの宣伝広告を行う場合がある。本実施の形態では、画像記録装置１００は、ＳＮＳに投稿された投稿画像を収集し、投稿者が投稿した商品やサービスに関する画像を対象として、ユーザ端末２００に向けた公開を行う場合を想定して、以下の処理を説明する。
【００２９】
本実施の形態における画像記録装置１００には、記憶媒体１０４にＳＮＳ上に投稿された投稿画像を取得するための画像取得用ソフトウェアが記録されている。制御装置１０３は、所定のタイミングにおいて、画像取得用ソフトウェアを起動して、接続インターフェース１０２を介して、インターネット上のＳＮＳサーバから投稿画像を取得する。本実施の形態では、例えば、ＳＮＳサーバから投稿画像を取得するためのＡＰＩ（アプリケーションプログラミングインターフェース）が用意されており、画像取得用ソフトウェアには、該ＡＰＩが実装されているものとする。
【００３０】
なお、投稿画像を取得するためにアクセスするＳＮＳサーバの情報は、あらかじめ画像取得用ソフトウェアまたはＡＰＩ側で定義されているものとする。また、画像記録装置１００が投稿画像を取得するＳＮＳの数は限定されず、複数のＳＮＳからそれぞれ投稿画像を取得することもできる。複数のＳＮＳから投稿画像を取得する場合には、それぞれのＳＮＳの仕様に合ったＡＰＩが用意され、それぞれが画像取得用ソフトウェアに実装されている。また、制御装置１０３がＳＮＳサーバから投稿画像を取得するタイミングは、あらかじめ設定されており、例えば、１分ごとや５分後といったように、あらかじめ設定された所定時間間隔でＳＮＳサーバにアクセスして、投稿画像を取得すればよい。ここに示した投稿画像の取得タイミングは一例であって、このタイミングに限定されるものではない。
【００３１】
本実施の形態では、画像取得用ソフトウェアに含まれるＡＰＩは、ＳＮＳサーバから投稿画像を取得するとともに、各投稿画像の投稿者を特定するための情報も取得することができる。投稿画像の投稿者を特定するための情報は、ＳＮＳによって異なるが、例えば、会員ユーザを一意に特定するためのメールアドレス、会員ＩＤ、ユーザ名などを利用したアカウント情報がこれに該当する。
【００３２】
制御装置１０３は、ＳＮＳサーバから取得した投稿画像を記憶媒体１０４に記録する。このとき、制御装置１０３は、ＳＮＳサーバから取得した投稿画像のファイル名とその投稿画像の投稿者を特定するためのアカウント情報とを関連付けて記憶媒体１０４に記録する。
【００３３】
本実施の形態では、ＳＮＳに画像を投稿した投稿者は、画像管理者端末３００を操作して、画像記録装置１００の記憶媒体１０４に記録されている投稿画像のうち、自身が投稿した投稿画像のみをタッチパネル３０１に表示させて管理することができる。
【００３４】
画像管理者端末３００上で、自身が投稿した投稿画像のみを表示させる方法としては、例えば、以下のような方法がある。投稿者は、画像管理者端末３００上で、画像管理ソフトウェアを起動させ、画像管理ソフトウェアのアカウント管理画面上で、自身が画像を投稿したＳＮＳに登録している自身を特定するためのアカウント情報、例えば、メールアドレス、会員ＩＤ、ユーザ名などを入力する。制御装置３０３は、入力されたアカウント情報をメモリに記録しておく。
【００３５】
制御装置３０３は、画像管理ソフトウェア上で画像の表示が指示された場合に、メモリに記録されているアカウント情報を読み出し、画像記録装置１００の記憶媒体１０４に記録されている投稿画像の中から、該アカウント情報が関連付けられているファイル名の投稿画像のみを取得して、タッチパネル３０１に表示させる。なお、投稿者が複数のＳＮＳに画像を投稿している場合には、画像管理ソフトウェアのアカウント管理画面上で複数のアカウント情報を登録しておけば、複数のＳＮＳに自身が投稿した投稿画像をタッチパネル３０１に一覧表示させることができる。
【００３６】
投稿者は、タッチパネル３０１に一覧表示された投稿画像のうち、自社または自店舗で取り扱う商品やサービスに関する被写体が写っている投稿画像を選択して、選択した投稿画像に対して、被写体に関する情報が掲載されたＷＥＢページへのリンク情報を関連付けることができる。
【００３７】
被写体に関する情報が掲載されたＷＥＢページとしては、例えば、商品を被写体として撮影した投稿画像の場合は、被写体として写っている商品が販売されているショッピングサイトのＷＥＢページや、被写体として写っている商品の商品情報が掲載されたＷＥＢページなどが想定される。一例を挙げると、洋服、バッグ、アクセサリーなどのファッションアイテムが被写体として撮影されている投稿画像に対しては、ファッションアイテムを販売する販売ページのＵＲＬをリンク情報として関連付けることができる。あるいは、インテリア、雑貨、小物などの商品が被写体として撮影されている投稿画像に対しては、インテリア、雑貨、小物のジャンルに含まれる商品を販売する販売ページのＵＲＬをリンク情報として関連付けることができる。
【００３８】
また、サービスに関連する被写体を撮影した投稿画像の場合は、そのサービスを予約するための予約サイトのＷＥＢページや、サービスに関する情報が掲載されたＷＥＢページなどが想定される。一例を挙げると、エステや美容院などのサービスを提供する投稿者が、消費者がサービス内容を把握することができるような画像を投稿した場合には、その投稿画像に対しては、エステや美容院などの予約を行うための予約ページのＵＲＬをリンク情報として関連付けることができる。あるいは、レストランやホテルにおいてサービスを提供する投稿者が、消費者がサービス内容を把握することができるような画像を投稿した場合には、その投稿画像に対しては、レストランやホテルの予約を行うための予約ページのＵＲＬをリンク情報として関連付けることができる。
【００３９】
まず、投稿画像に対してリンク情報を関連付けるための処理について説明する。制御装置３０３は、ユーザによっていずれかの投稿画像が指定され、その投稿画像に対するリンク情報の関連付けが指示された場合には、タッチパネル３０１上に、指定された投稿画像に対する画像管理画面を表示する。画像管理画面には、選択された投稿画像とともに、その投稿画像に写っている被写体に関する情報が掲載されたＷＥＢページのアクセス先を示す情報、例えばＵＲＬを入力する入力欄が設けられている。投稿者は、この入力欄に被写体に関する情報が掲載されたＷＥＢページのＵＲＬを入力することができる。制御装置３０３は、投稿者によってＵＲＬの入力が確定されると、画像記録装置１００へ、画像管理画面上で入力されたＵＲＬの保存を要求する。
【００４０】
画像記録装置１００では、制御装置１０３は、画像管理者端末３００からＵＲＬの保存要求を受信した場合には、画像管理者端末３００の画像管理画面上で指定されたＵＲＬの入力を受け付けて、該ＵＲＬと、ＵＲＬが指定された投稿画像のファイル名とを関連付けたリンク関連付け情報を記憶媒体１０４に記録する。なお、投稿者は、上述した画像管理画面上で、商品名、商品の説明、商品の価格、またはサービス名、サービス内容の説明、サービスの価格などの関連情報を入力できるようにしてもよく、その場合は、制御装置１０３は、画像管理者端末３００の画像管理画面上で入力された関連情報もリンク関連付け情報に含めて記録するようにすればよい。また、制御装置１０３は、投稿画像とＵＲＬとを関連付けるとともに、その関連付け情報を一意に特定するための管理ＩＤを発行し、この管理ＩＤもリンク関連付け情報に含めて、投稿画像、ＵＲＬと関連付けてもよい。
【００４１】
情報提供システム１０を利用して投稿画像の閲覧を希望するユーザは、ユーザ端末２００上で、上述したユーザ端末用ソフトウェアを起動させて、以下に説明するような操作を行うことができる。
【００４２】
制御装置２０３は、ユーザ端末用ソフトウェアの実行が指示されると、画像記録装置１００にアクセスして、画像記録装置１００の記憶媒体１０４に記録されている投稿画像を受信して、タッチパネル２０１に一覧表示する。これによって、ユーザ端末２００のユーザは、画像記録装置１００がＳＮＳから収集した投稿画像を閲覧することができる。
【００４３】
ユーザは、タッチパネル２０１に一覧表示された投稿画像を、特定の投稿者に限定して表示させることができる。例えば、制御装置２０３は、投稿画像を一覧表示した画面上で、ユーザから任意のアカウント情報の指定を受け付け、画像記録装置１００から、指定されたアカウント情報が関連付けられている投稿画像を受信して、タッチパネル２０１に表示する。
【００４４】
ユーザは、タッチパネル２０１に表示されている投稿画像に対して、情報が掲載されたＷＥＢページにアクセス可能な被写体が写っている画像に絞り込んで表示するように指示することもできる。例えば、投稿画像を一覧表示した画面では、画像記録装置１００から取得した投稿画像をすべて表示する画面と、ＷＥＢページにアクセス可能な被写体が写っている投稿画像に絞り込んで表示する画面とをタブで切り替えられるようになっており、ユーザは、ＷＥＢページにアクセス可能な被写体が写っている投稿画像に絞り込んで表示する画面に切り替えるためのタブにタッチすることにより、投稿画像の絞り込みを指示することができる。
【００４５】
制御装置２０３は、ユーザによって、ＷＥＢページにアクセス可能な被写体が写っている投稿画像に絞り込んで表示する画面への切り替えが指示された場合には、画像記録装置１００の記憶媒体１０４にリンク関連付け情報が記録されている投稿画像のみを、画面上に一覧表示する。例えば、制御装置２０３は、画像記録装置１００の記憶媒体１０４に記録されているリンク関連付け情報を参照して、被写体に関する情報が掲載されたＷＥＢページへのリンク情報が関連付けられている投稿画像のファイル名を特定し、特定したファイル名の画像のみを表示した画面に切り替える。これによって、ユーザは、インターネットを通じて情報を入手することが可能な被写体が写っている投稿画像に絞り込んで、画像を閲覧することができる。
【００４６】
ユーザは、絞り込んで表示された投稿画像に写っている被写体の中に、被写体に関する情報が掲載されたＷＥＢページの閲覧を希望するものがある場合には、その被写体が写っている投稿画像をタッチパネル２０１上でタッチして選択することができる。制御装置２０３は、ユーザによっていずれかの投稿画像が選択されたことを検出した場合には、画像記録装置１００の記憶媒体１０４に記録されているリンク関連付け情報を参照して、被写体に関する情報が掲載されたＷＥＢページへのリンク情報、例えば、ＵＲＬを特定する。具体的には、制御装置２０３は、ユーザによって選択された投稿画像のファイル名を含むリンク関連付け情報が画像記録装置１００の記憶媒体１０４に記録されているか否かを判定する。その結果、リンク関連付け情報が記録されていれば、そのリンク関連付け情報内で、投稿画像のファイル名にリンク情報として関連付けられているＷＥＢページのＵＲＬを特定する。
【００４７】
制御装置２０３は、特定したＵＲＬに基づいて、被写体に関する情報が掲載されたＷＥＢページにアクセスし、タッチパネル２０１上に、被写体に関する情報が掲載されたＷＥＢページを表示する。これによって、ユーザは、投稿者が投稿した投稿画像の中から、好みの被写体を見つけ出して、その被写体に関する情報が掲載されたＷＥＢページに容易にアクセスすることができる。
【００４８】
例えば、本実施の形態における情報提供システム１０を利用すれば、ユーザは、ユーザ端末２００上で、好みのファッションアイテムを販売する店舗が投稿した投稿画像を閲覧することができる。そして、その中で気に入ったファッショアイテムが見つかった場合には、そのファッションアイテムの販売ページへ容易にアクセスことができる。具体的には、ユーザは、ユーザ端末２００上で以下のように操作を行えばよい。
【００４９】
まず、ファッションアイテムを販売する店舗の担当者が投稿者となり、ＳＮＳ上に自店舗が販売するファッションアイテムを被写体として撮影した画像を投稿する。投稿者は、画像管理者端末３００を操作して、上述した方法により、投稿画像と、投稿画像内に写っている商品の販売ページのＵＲＬとを関連付けたリンク先情報を画像記録装置１００の記憶媒体１０４に記録しておく。
【００５０】
ユーザは、ユーザ端末２００上で上述したユーザ端末用ソフトウェアを実行し、タッチパネル２０１に投稿画像が一覧表示されたら、上述したように、特定の投稿者が投稿した投稿画像に限定して表示する機能を利用し、好みのファッションアイテムを販売する店舗が投稿者となっている投稿画像のみをタッチパネル２０１に一覧表示させる。さらに、ユーザは、タッチパネル２０１に表示されている投稿画像に対して、販売ページにアクセス可能な商品が写っている画像に絞り込むように指示して、販売ページが存在する商品のみをタッチパネル２０１に一覧表示させる。これによって、ユーザは、インターネットを通じて購入可能な商品が写っている投稿画像のみを表示させて閲覧することができる。
【００５１】
ユーザは、表示されている投稿画像内の商品の中に、購入を希望する商品がある場合には、その商品が写っている投稿画像をタッチパネル２０１上でタッチして選択すれば、リンク関連付け情報に基づいて、販売ページのＵＲＬが特定され、タッチパネル２０１上にその商品の販売ページが表示されることになる。このような操作により、ユーザは、投稿者が投稿した投稿画像の中から、好みの商品を見つけ出して、その商品の販売ページに容易にアクセスすることが可能となる。
【００５２】
ユーザは、表示された販売ページ上で、商品の購入手続を行うことができる。なお、ユーザからの購入手続に基づいて注文を受け付けるための機能や、商品代金の決済を行うための機能は、アクセス先の販売ページにおけるショッピングサイト側で提供される機能のため、ここでの説明は省略する。
【００５３】
図５は、本実施の形態における画像記録装置１００で実行される投稿画像取得処理の流れを示すフローチャートである。図５に示す処理は、あらかじめ設定された投稿画像の取得タイミングになると起動するプログラムとして、制御装置１０３によって実行される。
【００５４】
ステップＳ１０において、制御装置１０３は、上述したように、画像取得用ソフトウェアを起動してＳＮＳサーバにアクセスし、ＳＮＳを介して投稿された投稿画像を取得する。その後、ステップＳ２０へ進む。
【００５５】
ステップＳ２０では、制御装置１０３は、ステップＳ１０で取得した投稿画像を記憶媒体１０４に記録する。また、制御装置１０３は、ＳＮＳサーバから取得した投稿画像のファイル名とその投稿画像の投稿者を特定するためのアカウント情報とを関連付けて記憶媒体１０４に記録する。その後、処理を終了する。
【００５６】
図６は、本実施の形態における画像記録装置１００で実行されるリンク情報関連付処理の流れを示すフローチャートである。図６に示す処理は、上述したように、画像管理者端末３００からＵＲＬの保存要求を受信した場合に起動するプログラムとして、制御装置１０３によって実行される。
【００５７】
ステップＳ１１０において、制御装置１０３は、画像管理者端末３００の画像管理画面上で指定されたＵＲＬを受信して、ＵＲＬの入力を受け付け、受信したＵＲＬと、ＵＲＬが指定された投稿画像のファイル名とを関連付けたリンク関連付け情報を記憶媒体１０４に記録する。その後、処理を終了する。
【００５８】
図７は、本実施の形態におけるユーザ端末２００で実行される画像閲覧処理の流れを示すフローチャートである。図７に示す処理は、上述したユーザ端末用ソフトウェアの実行が指示されると起動するプログラムとして、制御装置２０３によって実行される。
【００５９】
ステップＳ２１０において、制御装置２０３は、画像記録装置１００にアクセスして、画像記録装置１００の記憶媒体１０４に記録されている投稿画像を受信して、タッチパネル２０１に一覧表示する。その後、ステップＳ２２０へ進む。
【００６０】
ステップＳ２２０では、制御装置２０３は、投稿画像を一覧表示した画面上で、ユーザから任意のアカウント情報の指定を受け付けたか否かを判断する。ステップ２２０で否定判断した場合には、後述するステップＳ２４０へ進む。これに対して、ステップＳ２２０で肯定判断した場合には、ステップＳ２３０へ進む。
【００６１】
ステップＳ２３０では、制御装置２０３は、画像記録装置１００上で、指定されたアカウント情報が関連付けられている投稿画像のみを抽出して表示する。その後、ステップＳ２４０へ進む。
【００６２】
ステップＳ２４０では、制御装置２０３は、ユーザによって、ＷＥＢページにアクセス可能な被写体が写っている投稿画像に絞り込んで表示する画面への切り替えが指示されたか否かを判断する。ステップＳ２４０で否定判断した場合には、後述するステップＳ２６０へ進む。これに対して、ステップＳ２４０で肯定判断した場合には、ステップＳ２５０へ進む。
【００６３】
ステップＳ２５０では、制御装置２０３は、画像記録装置１００の記憶媒体１０４に記録されているリンク関連付け情報を参照して、被写体に関する情報が掲載されたＷＥＢページへのリンク情報が関連付けられている投稿画像のファイル名を特定し、特定したファイル名の画像のみを表示した画面に切り替える。その後、ステップＳ２６０へ進む。
【００６４】
ステップＳ２６０では、制御装置２０３は、ユーザによっていずれかの投稿画像が選択されたか否かを判断する。ステップＳ２６０で否定判断した場合には、後述するステップＳ２８０へ進む。これに対して、ステップＳ２６０で肯定判断した場合には、ステップＳ２７０へ進む。
【００６５】
ステップＳ２７０では、制御装置２０３は、画像記録装置１００の記憶媒体１０４に記録されているリンク関連付け情報を参照して、被写体に関する情報が掲載されたＷＥＢページのＵＲＬを特定し、特定したＵＲＬにアクセスして、タッチパネル２０１上にＷＥＢページを表示する。その後、ステップＳ２８０へ進む。
【００６６】
ステップＳ２８０では、制御装置２０３は、ユーザによってユーザ端末用ソフトウェアの終了が指示されたか否かを判断する。ステップＳ２８０で否定判断した場合には、ステップＳ２２０へ戻る。これに対して、ステップＳ２８０で肯定判断した場合には、処理を終了する。
【００６７】
図８は、本実施の形態における画像管理者端末３００で実行される画像管理処理の流れを示すフローチャートである。図８に示す処理は、上述した画像管理ソフトウェアの実行が指示されると起動するプログラムとして、制御装置３０３によって実行される。なお、図８に示す処理においては、上述したＳＮＳのアカウント情報は、あらかじめ制御装置３０３が備えるメモリに記録されているものとする。
【００６８】
ステップＳ３１０において、制御装置３０３は、メモリに記録されているアカウント情報を読み出し、画像記録装置１００の記憶媒体１０４に記録されている投稿画像の中から、該アカウント情報が関連付けられているファイル名の投稿画像のみを取得して、タッチパネル３０１に表示する。その後、ステップＳ３２０へ進む。
【００６９】
ステップＳ３２０では、制御装置３０３は、投稿者によっていずれかの投稿画像が指定され、その投稿画像に対するリンク情報の関連付けが指示されたか否かを判断する。ステップＳ３２０で否定判断した場合には、後述するステップＳ３５０へ進む。これに対して、ステップＳ３２０で肯定判断した場合には、ステップＳ３３０へ進む。
【００７０】
ステップＳ３３０では、制御装置３０３は、上述したように、タッチパネル３０１上に、指定された投稿画像に対する画像管理画面を表示して、投稿画像の被写体に関する情報が掲載されたＷＥＢページのリンク先を示す情報、例えばＷＥＢページのＵＲＬの入力を受け付ける。その後、ステップＳ３４０へ進む。
【００７１】
ステップＳ３４０では、制御装置３０３は、投稿者にからのＵＲＬの入力を受け付け、入力内容が確定されると、画像記録装置１００へ、画像管理画面上で入力されたＵＲＬを送信して、ＵＲＬの保存を要求する。その後、ステップＳ３５０へ進む。
【００７２】
ステップＳ３５０では、制御装置３０３は、投稿者によって画像管理ソフトウェアの終了が指示されたか否かを判断する。ステップＳ３５０で否定判断した場合には、ステップＳ３２０へ戻る。これに対して、ステップＳ３５０で肯定判断した場合には、処理を終了する。
【００７３】
以上説明した本実施の形態によれば、以下のような作用効果を得ることができる。
（１）画像記録装置１００の制御装置１０３は、ソーシャル・ネットワーキング・サービスを利用して投稿された投稿画像を取得し、取得した投稿画像を記憶媒体１０４に記録するようにした。そして、制御装置１０３は、記録した投稿画像に対して、被写体に関する情報が掲載されたＷＥＢページへのリンク情報の指定を受け付け、リンク情報の指定を受け付けた投稿画像と、指定されたリンク情報とを関連付けたリンク関連付け情報を記憶媒体１０４に記録するようにした。これによって、ＳＮＳ上に投稿された投稿画像に対して、被写体に関する情報が掲載されたＷＥＢページへのリンク情報を関連付けて記録することができる。
【００７４】
（２）画像記録装置１００で実行される画像取得用ソフトウェアには、ＳＮＳサーバから投稿画像を取得するためのＡＰＩが実装されており、制御装置１０３は、該ＡＰＩを用いて投稿画像を取得するようにした。これによって、ＳＮＳから投稿画像を取得するためのプログラムを独自に開発する必要がなく、開発コストを抑えてシステムを運用することができる。
【００７５】
（３）ユーザ端末２００では、制御装置２０３は、画像記録装置１００から投稿画像を受信し、受信した投稿画像をタッチパネル２０１に一覧表示するようにした。これによって、ユーザは、情報提供システム１０を利用して、ＳＮＳ上で投稿された画像をユーザ端末２００上で閲覧することができる。
【００７６】
（４）画像記録装置１００の制御装置１０３は、投稿画像と投稿画像の投稿者を特定するための情報、例えばＳＮＳのアカウント情報とを関連付けて記録し、ユーザ端末２００の制御装置２０３は、ユーザによって投稿者が指定された場合には、指定された投稿者のアカウント情報に関連付けられている投稿画像を抽出して、画像記録装置１００から投稿画像を受信するようにした。これによって、ユーザは、特定の投稿者に限定して、投稿画像を閲覧することができる。
【００７７】
（５）ユーザ端末２００では、制御装置２０３は、ユーザから、情報が掲載されたＷＥＢページにアクセス可能な被写体が写っている投稿画像、すなわちリンク情報が関連付けられている投稿画像のみを表示するように指示された場合には、画像記録装置１００の記憶媒体１０４にリンク関連付け情報が記録されている投稿画像のみを、画面上に一覧表示するようにした。これによって、ユーザは、インターネットを通じて情報を取得可能な被写体が写っている投稿画像に絞り込んで、画像を閲覧することができる。
【００７８】
（６）ユーザ端末２００では、制御装置２０３は、タッチパネル２０１に表示した投稿画像の中から、いずれか一つの投稿画像が選択された場合には、リンク関連付け情報を参照して、選択された投稿画像に関連付けられているリンク情報を特定し、特定したリンク情報に基づいて、選択された投稿画像の被写体に関する情報が掲載されたＷＥＢページへアクセスし、タッチパネル２０１にＷＥＢページを表示するようにした。これによって、ユーザは、投稿者がＳＮＳに投稿した画像を閲覧し、その結果、ＷＥＢページの閲覧を希望する被写体については、投稿画像を選択するだけで、容易にＷＥＢページを閲覧することができる。
【００７９】
―変形例―
なお、上述した実施の形態の情報提供システムは、以下のように変形することもできる。
（１）上述した実施の形態では、ユーザ端末２００のユーザは、タッチパネル２０１に一覧表示された投稿画像を、特定の投稿者に限定して表示させるようにした。このとき、制御装置２０３は、投稿画像を一覧表示した画面上で、ユーザから任意のアカウント情報の指定を受け付け、画像記録装置１００上で、指定されたアカウント情報が関連付けられている投稿画像のみを抽出して表示する例について説明した。しかしながら、ユーザは、お気に入りの投稿者のアカウント情報をあらかじめ登録しておくことができるようにしてもよい。この場合、制御装置２０３は、ユーザによって登録されたお気に入りのアカウント情報をメモリに記録しておく。そして、制御装置２０３は、ユーザ端末用ソフトウェアの実行が指示されると、メモリからお気に入りのアカウント情報を読み出して、画像記録装置１００の記憶媒体１０４に記録されている投稿画像の中から、お気に入りのアカウント情報が関連付けられているファイル名の投稿画像のみを受信して、タッチパネル２０１に表示させるようにすればよい。これによって、ユーザは、あらかじめ登録しておいたお気に入りのアカウント情報に限定して、投稿画像を閲覧することができる。
【００８０】
（２）上述した実施の形態では、制御装置３０３は、ユーザによっていずれかの投稿画像が指定され、その投稿画像に対するリンク情報の関連付けが指示された場合には、タッチパネル３０１上に、指定された投稿画像に対する画像管理画面を表示し、画像管理画面上で投稿画像に写っている被写体に関する情報が掲載されたＷＥＢページのリンク先を示す情報を入力する例について説明した。このとき、投稿者は、投稿画像内に複数の被写体が写っている場合には、各被写体に対して、それぞれリンク先情報を入力できるようにしてもよい。これによって、１つの投稿画像に複数の被写体が含まれ、それぞれの被写体についてＷＥＢページが存在する場合には、各被写体ごとにリンク情報を設定することができる。
【００８１】
この場合、投稿者は、１つの投稿画像に対して、その中に含まれる各被写体の個別画像を関連付けて記録できるようにし、各個別画像に関連付けて、各被写体ごとのリンク情報を関連付けるようにする。この場合には、投稿画像と個別画像とを関連付けた画像関連付け情報を記憶媒体１０４に記録し、さらに個別画像とリンク情報とを関連付けたリンク関連付け情報を記録するようにすればよい。そして、ユーザ端末２００の制御装置２０３は、ユーザによって投稿画像が選択された際に、以下のように処理を行えばよい。
【００８２】
制御装置２０３は、ユーザによって投稿画像が選択された場合には、画像記録装置１００の記憶媒体１０４に、選択された投稿画像に対する画像関連付け情報が記録されているか否かを判定し、記録されていると判定した場合には、画像記録装置１００から個別画像を取得し、タッチパネル２０１上に投稿画像と、１つ以上の個別画像を表示する。そして、ユーザによって、いずれかの個別画像が選択された場合には、画像記録装置１００の記憶媒体１０４に記録されているリンク関連付け情報を参照し、個別画像に関連付けられているリンク情報を特定して、タッチパネル２０１上にＷＥＢページを表示すればよい。これによって、例えば、複数のファッションアイテムを用いてコーディネートされた被写体を撮影した投稿画像では、投稿画像内に含まれる複数のファッションアイテムごとに個別画像を用意して、販売ページのＵＲＬを関連付けることができる。
【００８３】
（３）上述した実施の形態では、制御装置２０３は、ユーザによって、ＷＥＢページにアクセス可能な被写体が写っている投稿画像に絞り込んで表示する画面への切り替えが指示された場合に、画像記録装置１００の記憶媒体１０４に記録されているリンク関連付け情報を参照して、被写体に関する情報が掲載されたＷＥＢページへのリンク情報が関連付けられている投稿画像のファイル名を特定し、特定したファイル名の画像のみを表示した画面に切り替える例について説明した。また、制御装置２０３は、ユーザによっていずれかの投稿画像が選択されたことを検出した場合には、画像記録装置１００の記憶媒体１０４に記録されているリンク関連付け情報を参照して、被写体に関する情報が掲載されたＷＥＢページへのリンク情報を特定する例について説明した。しかしながら、制御装置２０３は、リンク関連付け情報が記憶媒体１０４に記録されている投稿画像については、画像記録装置１００から投稿画像を受信するタイミングで、リンク関連付け情報を受信してメモリに記録しておき、リンク関連付け情報の参照時には、メモリに記録されているリンク関連付け情報を参照するようにしてもよい。
【００８４】
（４）上述した実施の形態では、画像取得用ソフトウェアには、ＳＮＳサーバから投稿画像を取得するためのＡＰＩが実装されており、制御装置１０３は、該ＡＰＩを用いて投稿画像を取得するようにした。しかしながら、ＡＰＩの代わりに、ＳＮＳサーバから投稿画像を取得するために開発された専用プログラムを用いるようにしてもよい。
【００８５】
（５）上述した実施の形態では、図１に示したように、情報提供システム１０は、画像記録装置１００と、ユーザ端末２００と、画像管理者端末３００で構成される例について説明した。しかしながら、ユーザ端末２００を操作するユーザと、画像管理者端末３００を操作する投稿者は同じ人物である場合も考えられる。このため、ユーザ端末２００と画像管理者端末３００は同じ端末であってもよい。この場合は、１台の端末にユーザ端末用ソフトウェアと画像管理ソフトウェアとをインストールするようにすればよい。あるいは、ユーザ端末用ソフトウェアにより提供される機能と画像管理ソフトウェアにより提供される機能の両方を備えたソフトウェアを１台の端末にインストールしてもよい。
【００８６】
（６）上述した実施の形態では、リンク関連付け情報に含まれるリンク情報は、被写体に関する情報が掲載されたＷＥＢページのＵＲＬである例について説明した。しかしながら、リンク情報は、ユーザ端末２００が被写体に関する情報が掲載されたＷＥＢページへのアクセスに利用することができる情報であれば、ＵＲＬに限定されない。例えば、画像記録装置１００がＷＥＢサーバ機能も備える場合には、記憶媒体１０４にＷＥＢページを記録しておき、ＷＥＢページまでのパスをリンク情報としてもよい。
【００８７】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００８８】
１０  情報提供システム
１００  画像記録装置
１０１  操作部材
１０２  接続インターフェース
１０３  制御装置
１０４  記憶媒体
２００  ユーザ端末
２０１  タッチパネル
２０２  通信モジュール
２０３  制御装置
３００  画像管理者端末
３０１  タッチパネル
３０２  通信モジュール
３０３  制御装置
【図１】
0006529118.tif 000002
【図２】
0006529118.tif 000003
【図３】
0006529118.tif 000004
【図４】
0006529118.tif 000005
【図５】
0006529118.tif 000006
【図６】
0006529118.tif 000007
【図７】
0006529118.tif 000008
【図８】
0006529118.tif 000009